(57)【要約】【課題】ＩＣインレットロールが最終的にロール状に仕上げられた状態において不良品の位置および量を目視で判断することのできるバッドマークを形成する不良品識別装置。【解決手段】ＩＣインレットロール（１０）における各ＩＣインレット（１１）の製品検査を行うための製品検査部（１，２）と、製品検査部の出力に基づいて不良品と識別されたＩＣインレットに対応するロール側縁部にマークを形成するためのマーク形成部（３）とを備えている。マーク形成部は、油性インキを用いてマークを形成するためのインクジェットプリンタ（３）を有する。製品検査部は、各ＩＣインレットに対して情報の読取りおよび情報の書込みを行うためのリーダー・ライター（１）と、リーダー・ライターの出力に基づいて各ＩＣインレットの動作を検査するための制御部（２）とを有する。【選択図】　図１
2004086640.tif 000002
【特許請求の範囲】
【請求項１】
ＩＣインレットロールにおける各ＩＣインレットの製品検査を行うための製品検査部と、
前記製品検査部の出力に基づいて不良品と識別されたＩＣインレットに対応するロール側縁部にマークを形成するためのマーク形成部とを備えていることを特徴とする不良品識別装置。
【請求項２】
前記マーク形成部は、油性インキを用いて前記マークを形成するためのインクジェットプリンタまたはスタンプ手段を有することを特徴とする請求項１に記載の不良品識別装置。
【請求項３】
前記製品検査部は、各ＩＣインレットに対して情報の読取りおよび情報の書込みを行うためのリーダー・ライターと、該リーダー・ライターの出力に基づいて各ＩＣインレットの動作を検査するための制御部とを有することを特徴とする請求項１または２に記載の不良品識別装置。
【請求項４】
ＩＣインレットロールにおける各ＩＣインレットの製品検査を順次行い、
前記製品検査に基づいて不良品と識別されたＩＣインレットに対応するロール側縁部にマークを形成することを特徴とする不良品識別方法。
【請求項５】
前記マークを前記ロール側縁部の両側に形成することを特徴とする請求項４に記載の不良品識別方法。
【発明の詳細な説明】
【０００１】
【発明の属する技術分野】
本発明は、ＩＣインレットロールの不良品識別装置および方法に関するものである。
【０００２】
【従来の技術】
従来、細長く延びたロール状のフィルムに多数のＩＣインレットを等間隔で一列に形成することによって構成されたＩＣインレットロールが知られている。一般に、ＩＣインレットロールに形成された多数のＩＣインレットの中には、不良品が点在している。従来の不良品識別装置では、不良品と識別されたＩＣインレットの内部にバッドマーク（四角形の黒マーク）を形成している。
【０００３】
【発明が解決しようとする課題】
しかしながら、従来技術では、ＩＣインレットの内部にバッドマークを形成しているので、ＩＣインレットロールが最終的にロール状に仕上げられた状態において不良品の位置および量を目視で判断することができないという不都合があった。
【０００４】
本発明は、前述の課題に鑑みてなされたものであり、ＩＣインレットロールが最終的にロール状に仕上げられた状態において不良品の位置および量を目視で判断することのできるバッドマークを形成する不良品識別装置および方法を提供することを目的とする。
【０００５】
【課題を解決するための手段】
前記課題を解決するために、本発明では、ＩＣインレットロールにおける各ＩＣインレットの製品検査を行うための製品検査部と、前記製品検査部の出力に基づいて不良品と識別されたＩＣインレットに対応するロール側縁部にマークを形成するためのマーク形成部とを備えていることを特徴とする不良品識別装置を提供する。
【０００６】
本発明の好ましい態様によれば、前記マーク形成部は、油性インキを用いて前記マークを形成するためのインクジェットプリンタまたはスタンプ手段を有する。また、前記製品検査部は、各ＩＣインレットに対して情報の読取りおよび情報の書込みを行うためのリーダー・ライターと、該リーダー・ライターの出力に基づいて各ＩＣインレットの動作を検査するための制御部とを有することが好ましい。
【０００７】
また、本発明の別の局面によれば、ＩＣインレットロールにおける各ＩＣインレットの製品検査を順次行い、前記製品検査に基づいて不良品と識別されたＩＣインレットに対応するロール側縁部にマークを形成することを特徴とする不良品識別方法を提供する。この場合、前記マークを前記ロール側縁部の両側に形成することが好ましい。
【０００８】
【発明の実施の形態】
本発明の実施形態を、添付図面に基づいて説明する。
図１は、本発明の実施形態にかかる不良品識別装置の構成を概略的に示す図である。また、図２は、ＩＣインレットロールの構成およびバッドマークの形成位置を概略的に示す図である。さらに、図３は、最終的にロール状に仕上げられたＩＣインレットロールの様子を示す図である。
【０００９】
図１を参照すると、本実施形態にかかる不良品識別装置は、リーダー・ライター１と、リーダー・ライター１に接続された制御部２と、制御部２に接続されたインクジェットプリンタ３とを備えている。リーダー・ライター１は、所定方向に沿って搬送されるＩＣインレットロール１０に形成された各ＩＣインレット１１に対して情報の読取りおよび情報の書込みを行う機能を有する。なお、各ＩＣインレット１１は、図２に示すように、ＩＣモジュール１１ａとアンテナ１１ｂとから構成された平板状のＲＦ−ＩＤメディアである。
【００１０】
また、制御部２は、リーダー・ライター１の出力に基づいて、各ＩＣインレット１１の動作を検査する機能を有する。したがって、リーダー・ライター１および制御部２は、ＩＣインレットロール１０における各ＩＣインレット１１の製品検査を順次行うための製品検査部を構成している。さらに、インクジェットプリンタ３は、リーダー・ライター１および制御部２による製品検査に基づいて不良品と識別されたＩＣインレット１１に対応するロール側縁部に、たとえば油性インクを用いてバッドマーク１２（図２を参照）を形成するためのマーク形成部を構成している。
【００１１】
本実施形態では、リーダー・ライター１および制御部２は、リーダー・ライター１の下方位置に達したＩＣインレット１１に対する情報の読取りおよび情報の書込みを行うことにより、当該ＩＣインレット１１の動作の検査、すなわち製品検査を行う。そして、制御部２は、リーダー・ライター１の出力に基づいて当該ＩＣインレット１１が不良品であると判断した場合、インクジェットプリンタ３を介して、当該ＩＣインレット１１に対応するロール側縁部の両側にバッドマーク１２を形成する。
【００１２】
以上のように、本実施形態では、不良品と識別されたＩＣインレット１１に対応するロール側縁部の両側にバッドマーク１２を形成するので、図３に示すように、ＩＣインレットロール１０が最終的にロール状に仕上げられた状態において不良品の位置および量を目視で判断することができる。ＩＣインレットロール１０は中間製品として取引対象になるので、ＩＣインレット１１の不良品の位置および量を目視で判断することができることは、品質管理上および製造管理上において非常に重要である。
【００１３】
図４は、本実施形態の不良品識別装置を介して製品検査されたＩＣインレットロールの各ＩＣインレットを用いてＩＣカードを形成する様子を示す図である。図４を参照すると、本実施形態の不良品識別装置を介して製品検査されたＩＣインレットロール１０のＩＣインレット１１を上紙１３と下紙１４との間に挟んで接着し、破線１５で示す矩形形状に沿って型抜きすることによりＩＣカード１６が形成される。
【００１４】
このとき、破線１５で示す矩形形状は、バッドマーク１２を横断するように設定されている。その結果、ＩＣカード１６の端面からバッドマーク１２を目視確認することができ、ひいては大量に製造されるＩＣカード１６から不良品を瞬時に発見し、取り除くことができる。
【００１５】
なお、上述の実施形態では、不良品であると判断されたＩＣインレットに対応するロール側縁部の両側にバッドマークを形成しているが、これに限定されることなく、ロール側縁部の片側にバッドマークを形成することもできる。
【００１６】
また、上述の実施形態では、インクジェットプリンタを用いてバッドマークを形成しているが、これに限定されることなく、たとえばスタンプ手段のような他の適当なマーク形成手段を用いてバッドマークを形成することもできる。さらに、上述の実施形態では、油性インクを用いてバッドマークを形成しているが、これに限定されることなく、他の適当な材料を用いてバッドマークを形成することもできる。
【００１７】
【発明の効果】
以上説明したように、本発明では、不良品と識別されたＩＣインレットに対応するロール側縁部の両側にバッドマークを形成するので、ＩＣインレットロールが最終的にロール状に仕上げられた状態において不良品の位置および量を目視で判断することができる。
【図面の簡単な説明】
【図１】本発明の実施形態にかかる不良品識別装置の構成を概略的に示す図である。
【図２】ＩＣインレットロールの構成およびバッドマークの形成位置を概略的に示す図である。
【図３】最終的にロール状に仕上げられたＩＣインレットロールの様子を示す図である。
【図４】本実施形態の不良品識別装置を介して製品検査されたＩＣインレットロールの各ＩＣインレットを用いてＩＣカードを形成する様子を示す図である。
【符号の説明】
１　リーダー・ライター
２　制御部
３　インクジェットプリンタ
１０　ＩＣインレットロール
１１　ＩＣインレット
１１ａ　ＩＣモジュール
１１ｂ　アンテナ
１２　バッドマーク
１３　上紙
１４　下紙
１６　ＩＣカード
【図１】
2004086640.tif 000003
【図２】
2004086640.tif 000004
【図３】
2004086640.tif 000005
【図４】
2004086640.tif 000006